(57)【要約】      （修正有）【課題】ウイルス感染予防に使用できるプラスチックマスクを提供する。【解決手段】鼻骨と口巾を三角形に覆い顎下まで口巾を覆う透明なプラスチックマスク。【選択図】図５
0003231617.tif 000002
【実用新案登録請求の範囲】
【請求項１】
ウイルス感染予防に使用できる、プラスチックマスクです、
図  面では、図４から図５の範囲ですが、図面だけからでは真意は伝えられません、真意とは透明なプラスチックマスクは、市販のマスクとの違いは顔の表情が確認できるからです、喜怒哀楽の表現や人物確認も一目瞭然、東京都が発した三密（密閉、密集、密接、）も関係無く無視できて、更にクラスター感染予防、犯罪防止にも寄与するでしょう、
【請求項２】
６ページ１３、院内感染防護服のクリーニング方法です、
クリーニングの前段階で感染ウイルス撲滅方法として、紫外線、電子レンジの電子ビーム、放射線、７０度の熱風処理、アルコール紛霧、ガス滅菌のどれかを院外の別の場所、都道府県別に一括して実現するシステム案です、
【請求項３】
１２ページ図６、簡易医療用防疫マスクの案です、
スーパーでの買い物後に使用する透明なビニール袋を活用して院内感染予防にします、袋の側面に穴を開け市販のマスクをセロテープで張り付ける、これを患者の頭に被せてベッドを離れる時、トイレや院内散歩時に使用する
【請求項４】
６ページ１４、使い捨てペットボトルの再活用プランです、
世界環境問題でもあるプラスチックごみ処理問題の一貫としての案です、
日本では、プラスチックごみ処理は最貧国に輸出している、紙製品や木工品への移行は考えられないのだろうか、最貧国はプラこみまみれです、
そこで、最貧国の子供たちにペットボトルを拾い集めさせ新型コロナウイルス感染予防マスクに変身させて、子供たちの小遣い稼ぎ、親孝行、観光客とのコミニケーションが発生するであろうとの考えは甘いでしょうか、
【考案の詳細な説明】
ウイルス感染予防策の共通認識と確認事項です。
【１】      ウイルス感染とは何ぞや、
ウイルス感染には、空気感染、飛沫感染、直接感染、があります、
ウイルスの存在は、地球全体に存在し、悪玉菌と善玉菌に別れる、悪玉菌は、サーズ、マーズ、コロナ、赤痢、疫痢、腸チフス、ノロ、コレラ、Ｃ型肝炎、はしか、マラリヤ、エボラ、豚や鳥類のウイルス、結核、肺炎、蚊やハエもウイルスを運びます、筋ジストロ症や小頭病もウイルスが原因かもしれぬ、善玉菌は、納豆菌、乳酸菌、麹菌、漬物、マツタケ、シイタケ、マイタケ、エノキ、ナメコ、ヒラタケ、エリンギ、マッシュルーム、トリュフ、等々、善玉菌、悪玉菌、これ等の菌類は動植物に寄生して繁殖する、ミクロン単位の生物で環境の変化に即応して変身するバケモンてす、ＷＨＯが管轄している、
【２】      新型コロナウイルスとは何ぞや、
ＰＣＲ検査によれば、太陽のコロナに似た形状であり、感染すれば発熱、咳、頭痛、喉の痛み、だるさ、味覚、嗅覚欠如か伴う、生存力は２週間過ぎても発病能力は強く普通風邪のように１週間程度では消滅しないと確認できた、新型コロナウイルスに感染すると肺泡（酸素を血液に供給）全体に炎症が発生、さらに血管の内部にも炎症、（サイトカインズ）が働き、血栓が発症する、
血液の供給悪化、コロナは人体で急速繁殖して、体外への放出を待つ、
【３】      新型コロナウイルスの対処療法はあるのか、
ＰＣＲ検査法方は、鼻や喉から粘液を綿棒でからめ取り、試験管に封入し、ＰＣＲ機器へ移動検査だが、綿棒を鼻孔奥や喉奥に差し込まずに、セルフで唾液を容器に封入するだけでＯＫ、綿棒使用に関わらずともＰＣＲ検査に何の遜色も無くドライブスルーで簡単安全な方法でもあり、推奨すべきである、
陽性反応で入院しても医者のする仕事は限られる、リンゲル点滴と咳止め  解熱剤、複合病対策にも重なると手詰まり状態、ただひたすら患者がもつべき免疫力活性を信じ祈り続けるだけである、それと病院への外来患者大量来襲がクラスター発生要因結果になるとも予想され、やがて医療制度崩壊が予見される、新型コロナには完治を保証する新薬もワクチンもありません、
重篤が進めば死を待つのみである。
【４】      ＷＨＯは、中国、湖北省武漢を新型コロナウイルス発生源であり、中国、イタリア、イラン、韓国、日本を危機感ありと懸念した、
ＷＨＯは、さらにクラスター感染拡大予報を発したが、日本は遅れをとった、なぜなら、日本は水際作戦と重篤化予防しか考えなかったからだ、今も揺れている森友学園偽装問題とは別に、か計動物医院設置問題には、動物も人間も同類であり、ＰＣＲ検査には歯科、眼科、皮膚科、脳神経、循環器、獣医も全ての医院、医学生も、国際的危機と捉え、検査に全員参加すべき時であろうそれには、ＰＣＲの検査資格を有しましょう。
クラスターとは空漠で落下した弾薬が四方に飛び散り後に爆破する現象です
ＷＨＯはさらにパンデミック（世界的流行）になりつつあると発した、日本の行動は外国人の入国拒否と学校休校、スポーツ芸能の自粛、あらゆるイベントの自粛は産業構造の萎縮を招き、ひいてはインフレになるかもしれぬ、家族の軟禁状態はクラスター感染の原点である事への発想もなし、米国のクルース船ダイヤモンドプリンセスの乗客乗員数千人は密閉した箱の中です、日本の外務省厚生省は乗客乗員の降船許可を出せず、２週間の完全隔離実現で満足しましたが、船内では密封接触状態が続く、まさにクラスター感染現場の拡散  拡大が見えるようだ、この結果に気づくのが遅れ、全ての対応が後手であり、慌てふためく日本国である、アメリカの感染拡大が心配である。
【５】      ＰＣＲとは何ぞや
もしかして新型コロナの感染かと心配で病院に行けば、病院では院内感染とクラスター感染の対応に追われ、一瞬戸惑いを感じた、保健所への電話相談をつげられ保健所に電話すれば、重症か軽症かと聞かれ、自宅待機と告げられたＰＣＲ各県では、大学医大と県の検察医しか扱われず、大学では何千何万とも及ぶウイルス、細胞、リンパ液、血液等の検査実験に使用、検察医は変死、事件死等に使用する、各県単位で３台か５台しか設置しておらず、検体時間は一体当たり６時間要する、あべ総理は１日８千件ＰＣＲの処理能力があると断言、ＰＣＲに求める一般論は、検査には雑菌数や種類数ではなく新型コロナたけのありか無しかを問い、個体数０か１で５以下は陰性だとのかって極まる独断は誤りで、医者が判断すべきです、ＰＣＲに関わる新型コロナ検査のみ対応する超小型キットが、孫氏率いるソフトバンク、台湾クラボウ社が開発した機器は一滴の血液検査、所要時間は１５分、１０検体２５万円、ＴＶ８チャンネル、３月１２日ｐｍ６時１５分頃、チラッと見てメモったので詳細知らすです、
エクモは、（体外式模型心肺補助機）、
サイトカインズは、（遺伝子免疫力が強く働くと、正常細胞も殺す）、
オーバーシュート、（より早く広範囲に感染が拡大）、
アビガン、（日本で開発された風邪薬の旧薬で、コロナにも効用が有りそうだと、米国  がうわさを知り、米国でも試すので急きょ依頼された薬）
レムデシベル、米国の製薬会社エボラウイルス対処薬がコロナにも転用できると日本の  厚生省が使用許可を発表。
【６】    あなたは、身体障害者のことをどれほどご存じでしょうか、
生まれ付いた時からもって生まれた現象と捉えますか、それともほかに何か原因があると考えて見るのはどうでしょうか、遺伝子？、それともウイルス？、もう一つの問題点は小頭症として生まれ落ちて来る現象をどう捉えますか私には解せません、私にはＮＨＫ  ＢＳニュースで得た知識しか有りません、私は７５歳、年金暮らしの独居老人です、発案発信はできますが、この分野には手が出ません、医学者、科学者が追求すべき問題です。
【７】    新型コロナウイルス新薬開発の見とうしは１年２年はかかるであろうと専門家の意見でした、新型コロナのワクチン製薬も、１年２年は待たねばと専門家は述べました、現在コロナ対策に近づけられるか、旧薬の改良研究は暗雲ぎみ、先行き見とうせず、新型コロナの病院対策システムのありようを、少し変更するのはいかがかな、院内感染を防ぐには、通常の医療とコロナ対応を分けて対処する、コロナを（離れた個室、別の場所）で対処、対応に２人、見習いか准看護士だけで足ります、一人は粘液を綿棒で採取し試験管に確保、二人めは患者名と受付で日時、電話番号と病院コードのシールを作成、試験管に添付し送付待ちとする、カルテ作成と事務作業も二人が担います。
【８】    シンナー遊びからのヒントは、スーパーで買い物後に使用する薄でのポリ袋、臭気、汁ダレ防止用袋です、この袋の好きな場所片面に穴をあけて市販用布マスクを両面テープで穴を塞ぎ、頭にスツポリかぶり首回りを紐で縛ればトイレ、院内散歩、ベッドや室内を離れる小用での採用は如何でしょうか、
院内感染防止案となりますよ、もう一つの案、吸入排気コントロール設備が必要と考えます。ベッド上での食事やベッドを離れる腰から立上げ姿勢保持したままで、ベッド上半分のビニールをスッポリ被せては如何ですか、
エクモ（体外式模型心肺補助装置）をご存じですか、日本では、１４２１台しかありません、アメリカの医療関係者は、機械不足と絶叫してました、世界的有名人の喜劇俳優、志村けんが３月２９日死去しました、コロナウイルス感染は陽性でした、大変残念だと思いました。
【９】    市中に出回っていたはずのマスクは、今どこを捜しても売れ切れ状態が続く、つまらぬデマを信じ買い占め売り惜しみに踊り狂わされる人々、デマはデマを呼びトイレットペーパーも買い漁る姿、布やガーゼマスクの新型コロナの感染防御には、５０％の効果しかありません、なぜなら、布制やガーゼマスクの効用弱点を知らずに着用しているからです、効用弱点とは、呼吸する空気の通行が完全にコントロールされていないからです、効用ミスには鼻の穴がまる見えの状態でマスクをずり下ろし、それと顎下マスクにずり下げて外気の通行を無許可状態だからです、マスクの紐、両耳への掛かり具合、緩み具合、締めすぎも正常な着用とは言えない、使い捨てはもったいない、熱湯消毒でまだまだ使えます、アメリカでは紙製品の医療用専用マスクが存在しています。
新型コロナウイルス感染予防マスクの発想経路です、
【１０】      あなたは、登山の経験ありますか、登山道あえぎつつ一歩前進又一歩と疲れきった両足をさすりながら足を動かす、ちょっと離れた所からかすかに水のしたたる音を聞く、腰を屈めてにじり寄れば清らかな水溜りを見つけた、手を伸ばしその水溜りに触れると、ヒヤッとした感触が身体をかけめぐる、すくい取った水を口に運ぶと、渇ききった喉もとに水が滑り落ちていく、この水を飲む姿、この形から新商品マスクが生まれる発想の原点でした、
【１１】      二つ目のヒントは、工場で働く眼鏡姿の工員の話です、同僚との会話でマスクはじゃまになると訴えた、機械の出す騒音で会話が伝わらない、大きな声で答えるが音量の半減が伴うマスク、唇に張り付くマスクで正確なイントネーションがうまくできない、おまけにこの熱気で汗だく、眼鏡の曇る原因は鼻の両わきに沿って、顔占いによるほうれい線づたいに空気の通行溝が発生しています、よって眼鏡が曇り、マスクが不必要と言ったのです、
【１２】      三つ目のヒントは、赤ん坊の泣き叫ぶ姿です、なぜこんなに泣き叫ぶのか、赤ん坊はぐあいが悪く、病院に連れて来られた、見ず知らすの男が白ずくめ姿で、女性は同じく白いマスクと白い帽子姿で話しかけてきた、赤ん坊はその姿に驚き恐怖のあまりに泣き狂うのです、それだったならばマスクを外して、スッヒン顔の笑顔で話かけて見たなら、赤ん坊は安心感を得て泣きやむかもしれない、つまり、素顔であれば笑顔が見える、
その姿こそ信頼を繋げる人間像ではありませんか、正体確認がなされれば黒眼鏡、マスク姿での殺人、強盗、置き引き、カッパライ、痴漢、性犯罪、あらゆる犯罪に結びつく悪企みも、減少するだろう。
【１３】        追加疑問点の解決策一案は、院内防護服のクリーニング方法です、クリーニングの前段階で、感染ウイルス撲滅方法として紫外線、電子レンジの電子ビーム、放射線、７０度温度の熱風殺菌処理、アルコール紛霧室、ガス室滅菌のどれかの方法を設置してみては如何でしようか、院外の別の場所都道府県別に一括して実現するシステム案で合理的です、検体患者の血液集荷システムを重ね合わせたヒントから生まれ出た案です、
【１４】      四つ目のヒントはペットボトル加工。ペットボトルのキャップをネジ受けごと切り落とし、切り口は目下鼻骨の丸みにあわせて、セロハンテープ鼻骨受けに形成、切り口の巾直径３センチの真中から同形２個に切断する、鼻骨にあたる切り口からあご先３センチ下から切り落とす、切り落とされた残りの半輪、切り先３センチ前上におりあげて、顎まで見えるように、スカーフ、タオル、ネッカチーフ、マフラー等を挟み込み、首に巻き回してマスクの代用とする、しかし、このペットボトル代用案では、お金に結びつかないが、ヒントのヒントとして考慮の続きにさらに発展、改善に向かいます、
ペットボトルのキャップ切り落とし口を上から見れば、直径３センチ巾の円形が、鼻骨の巾と高さに合うためには、斜め切りした半円を、だ円状から二つ折につぶし進めば、崩壊を招く、その原因はプラスチックボトルの固さにあり、鼻骨にフイットする柔らかさに欠ける、鼻骨の形状は千差万別  十人十色、これでは数多くの感染防止になりません、
チョット待ってください、アフリカ、中東、アジア、南米、裕福でない人々を何とか新型コロナウイルスから救える手段は、？、有ります、ペットボトルの再活用、縦割り２分割ににして鼻高骨を支える部分を改善します、
使い捨てのペットボトルを集めさせ、コロナウイルス感染防止に加工します
肌に触れる切断部分のざら付きは、枯れ草砥草かざら付き小石で削ぎ落とす、私は、お金儲けだけに動くのではない、子供たちの喜ぶ姿が見たいからです、子供たちの小遣い稼ぎと親孝行と観光客とのコミニケーションができる．
出来える事ならば、ＮＰＯ青年援助隊の助けを得て学校開設を望みます。
【１５】      素顔の見えるマスク、透明なプラスチックマスクの商品化を目指します
プラスチックマスクの製造工程は、顔の形、頭蓋骨に肉と表皮で形成しています、骨格は幼年期から成人老人への過程で変化します、顔も人格も一人一人違いがあり、一人一人に合わせたマスクには、幼年期と成人期２例の平均値を求め、マスクの形成に努めます。
【図面の簡単な説明】  一般的に市販されている布製又はガーゼマスクです、
【図１】  ａは、吸気排気を通過させる布又はガーゼ面です、ｂは、布又はガーゼ面を支え、耳で保持する布制紐です、ｃは、布又はガーゼ面の横幅の長さです、ｄは、ａ面を２枚重ねにしたガーゼです、ｅは、曲面を表した展開図です、ｑは、布制紐の結び目です、
【図２】  鼻頭と口元と顎頭を丸く包み込むような、布又はガーゼマスク、変形として鳥のくちばし型、アヒルのくちばし型もあります、
【図３】  ｆは、人骨、どくろの正面と横面です、ｇは、顎骨、通称えら  ぼねともいいます、ｈは、目、目玉がある場所です、ｋは、鼻骨、ｎは、鼻の穴、ｊは、耳の穴、ｓは、顎骨です、一丁目一番地、本領とする新型コロナウイルス感染予防用、プラスチック制ウイルス感染予防用マスクです、材質への注文付けは一切しません、なぜならペットボトルの、曲線美を見つめれば、なにおかいわんやです。どんな形にも対応しきっているからです、
【図４】  ａは、一枚板の仕上がりです、ｂは、一連のつながりでちょっとだけ内側に折れ曲がったＬＭです、ｃは、魚釣り用テグス、プラスチック又はナイロン製の魚釣り用テグス糸です、ｃｄの両端に伸びた糸端はｋの両輪潜らしてからｄにする  ｄは、切りっぱなし糸先は皮膚に当たるとチクチク痛いので、輪っかにしてセロテープて止める、ｆは、鼻面と口元を覆う曲線です、内側から曲線の曲がり具合は、親指か人差指で撫でられる形です、ｅは、ａの一枚板が頬の表面に張り付く糸穴の役目である、ａの片面も同じ糸穴が有ります、この糸穴を通したテグス糸は片側ＬＭの穴に向かいｈの挟み口を通過してｈが長さをＬＭの端にて重ねて噛みつく、別の一例はｋからｅまでの間にｃをまたいでＬＭに重ねて噛みつく、図に描かれたテグスの通過穴の大きさは、テグス２本とうす大きさです、ｇは、鼻骨の太さかげんを調整する役割をセロテープの斜め貼りして優しく鼻骨を包む役目です、本来あるべき場所を３倍に拡大した図です、鼻骨の太さ高さは人さまざまで、出来るだけ多くの人に適応するよう鼻骨の接触する場所を少し巾を狭めると適応すると考えました、別の一例は、市販のゴム製指サックをかぶせるだけです、鼻骨からの空気通過を防ぐ、指サックの太さは親指又は人差指かで試してみよう、ｋは、輪ゴム３〜４本普通サイズは後頭部、首根に当たる後頭部位でマスクを保持する役だが、ｄにする前にｋの輪を潜らしてからｄにする、輪ゴムを８の字にひねれば倍になる、もう一つの考えは、子供や大人の靴下ソックスの足首の部分だけを切り取り活用する、ゴム臭も無く汗取りにもなる、ＬとＭは、マスクの代替え、タオル、ネッカチーフ、マフラーを釣り糸テグスてささえ込むしかけです、本体ａに連なる下部ＬとＭ、別に用意したタオル、ネッカチーフ、マフラーを支える２枚のＬとＭは両片面づつに別れる、ネッカチーフ、マフラー、類のＬＭからのずり落ち防止は普通の針と糸で結び止める、洗濯にはハサミで糸を切り再び使用には針と糸で結ぶ、この作業が難儀とすれば、次の図５の紙止め用クリップ２個を着脱の仕事を追加すれば難儀は解消します、釣り糸テグスでの張り合わせ方法は、本体ａに連なる下部３個の穴の１個めの穴付近にｃｄをａ、の周辺表面にセロテープで張り止め、１個めの穴ａ、ＬかＭの穴にとうして垂れ下げ下側から外側を回り別枠のＬかＭの１個目外側から内側に入り２個目のａ、ＬかＭの穴に向かい２個目の穴の内側に垂れ下がり３個めの別枠のＬかＭの穴をめざしａ、ＬＭ３個めを通過後はｃｄにしてセロテープで張り止める、このバージョンの逆をたどれば渡り糸は倍になります。
【図５】  ｈは、文房具店で市販している紙止め用クリップ、このサイズは２センチ５ミリを使用、１センチ５ミリもあるようです、２個必要、釣り糸テグス１本のとおり道として３角型１片のバネ役中央に穴が必要、ｉは、ｈの横面図です、ｃｄを伸ばす縮めるには、他方のｃｄの輪を潜り抜け自ら首を締めるように継ぎ足し出来ａ面の端ＬＭのどちらかをかじる、ｊは、直径１、５センチ又は２センチの輪２個必要です、ｓは、ａ面下部ＬＭ境目付近に四個の穴で２個の穴にｊの輪一個毎に顎面の肌とプラスチックマスクとに、釣り糸テグスで支え込み、隙間をつくり空気の流通と発生音を助けます、穴は小さく、テグス二本とうすだけの穴です、テグスの渡しかたは、１個目の表側穴周辺からｃｄをセロテープで止め１個目裏側でｊ１個目の輪を潜り２個目の穴裏から表に出て３個目の穴裏側に入りｊ２個目の輪を潜り４個目の穴裏から表に出る、このバージョンの逆をたどればｊ２個を２本で支える、
【図６】  ａは、スーパーでの買い物後に使用する透明なビニール袋を活用します、汁漏れや臭気止め用ですが医療用防疫マスクへの活用です、ｂは、これを頭にスッポリと被せて、音声や空気の流通用に、片面に穴をあけて市販のマスクをセロテープで貼りつけるビニール袋です、ｃは、首から下に垂れ下がるビニール袋の開け口は、患者の下着の中に入れます、ベッドから離れる時、トイレや院内散歩に使用します、
【図７】  ｄは、診療用ベッドに座高を起こした姿、ベッドの半分程に座高を起こした頭上１５センチか３０センチの高さで四角に囲ったビニールを張るのは如何でしょうか、ｅは、ビニールを支える棒は、近くのホームセンターで園芸や大工道具売り場で買えます、
【図８】  ｆは、ペットボトル１個、キャップをキヤップ受け口から外して縦割り２分割、キャップ受け口、鼻骨の接触部を正面に両頬づたいに４５度に山形状に削り落とす、鼻骨付着面にセロテープで斜め貼りで鼻骨を支える、ｇは、ペットボトルをマスクとして釣り糸テグスでＭのあなから支えて、首の後ろ部分のゴム束、又は靴下のゴム役に両側から保持する、ｈは、キャップは、顎下の音声と空気の通過口と成ります、通過口のとうり巾は自由に設定、接着方法は接着剤又は釣り糸テグスで顎先付近の場所に穴をつくりそれを通して結び止める、ｊは、キャップの空気通過巾は、そのままだと直径３センチ、好みの通過巾を変更できます、変更方法は、好みの高さに縦割り状に削りとります、ｋは、顎下３センチ巾は、タオル、ネッカチーフ、マフラー、等の支え受けになります、ｆ表面下部ＬにＫＬをずり上げＬ同視の穴をテグスで渡す  Ｌは、顎下３センチ巾を連結するには２個又は３個の糸穴で連結する。部分だけの輪に向かって各両端を引き締める釣り糸テグスを輪ゴムの束又は靴下の輪をとうり抜け出発した穴に戻り結び止める。Ｍは、２個に別れた穴は釣り糸テグスでボトルを支える小さな穴です、釣り糸テグスの長短を定め、Ｋの端に噛みつくクリップの数量は、１個で事足りましょう。
【図１】
0003231617.tif 000003
【図２】
0003231617.tif 000004
【図３】
0003231617.tif 000005
【図４】
0003231617.tif 000006
【図５】
0003231617.tif 000007
【図６】
0003231617.tif 000008
【図７】
0003231617.tif 000009
【図８】
0003231617.tif 000010
【手続補正書】
【提出日】令和2年9月8日(2020.9.8)
【手続補正１】
【補正対象書類名】実用新案登録請求の範囲
【補正対象項目名】全文
【補正方法】変更
【補正の内容】
【実用新案登録請求の範囲】
【請求項１】
ウイルス感染予防に使用できる、プラスチックマスクです、
形状は、鼻と口を両手又は片手で水を飲み終えた形状、鼻から口の顎下まで手をおわん状にしたプラスチックマスクです、鼻骨と口巾を三角形に覆い顎下まで口巾を覆う、三角の両側が頬の表皮に張り付いてマスクを支えます、
そのマスクの両端に鼻頭と顎元ぞいに首の後ろにテグスで導きゴム束を潜りて紙挟みクリップでテグスをマスクの下部にかじりつきテグスの長短調節をしてマスク全体を支えます、もう一本の顎下に張ったテグスにタオル又はネッカチーフ、マフラー、スカーフ等で首に巻き付け、空気と音声をコントロールします、図面では、図４から図５の範囲ですが、図面だけからでは真意は伝えられません、真意とは透明なプラスチックマスクは、市販のマスクとの違いは顔全体の表情が確認できるからです、あらゆる一般的接客的業務の会話（コミニケーション）、案内所（インホメーション）や医療、介護、託児、運送、宅配、宿泊、小売り、タクシー、等のコミニケーションが新型コロナウイルス感染予防に、東京都が発した三密（密閉、密集、密接、）も関係無く無視できて、大声での会話やべたつこうが、うがい手洗いで事は済む、クラスター感染予防に最適、それに犯罪防止にも寄与します、一方一般用マスクでは布、ガーゼが鼻孔や口角を直接塞げば空気の流通と音声を発する箇所は鼻と口の２箇所に集中します、音声では布やガーゼは唇にまとわり着き言葉のイントネーションがうまく伝わらない時はどうしますか、マスクをずらすか外す行為に手は動きますか、音声は半減、湿気はこもる状態です、
このウッカリミスはコロナの絶好のチャンスとなります、私が発案した新型コロナウイルス感染予防であれば大方防げるが、防ぎ切れない肺泡は修復再生不可能となり、攻撃を免れた肺泡だけで酸素供給をする、すると心肺機能低下、コロナの血管細胞への攻撃は血栓だらけとなり各臓器の機能低下と結び着き、よってスポーツ、労働者はすぐに疲れ息切れが死ぬまで続く、なんでこうなるのか、ワクチンの完成を望むがワクチンの目的はコロナ撲滅だけであり、肺泡崩壊の修復再生機能はありません、医学会の見解を望みます
無感染症での保菌者をどう確保するかにこだわらずとも、移さない、もらわないことが真実の一言であります、従って私が発案した新型コロナ防御マスクは最適でありましょう、
【請求項２】
使い捨てペットボトルの再活用プランです、
世界環境問題でもあるプラスチックごみ処理問題の一貫としての案です、
日本では、プラスチックごみ処理は最貧国に輸出している、紙製品や木工品への移行は考えられないのだろうか、最貧国はプラこみまみれです、
そこで、最貧国の子供たちにペットボトルを拾い集めさせ新型コロナウイルス感染予防マスクに変身させて、子供たちの小遣い稼ぎ、親孝行、観光客とのコミニケーションが発生するであろうとの考えは甘いでしょうか、
形状は、ペットボトルのキャップを外し、ペットボトルを真っ二つに二等分にして、キャップ受け口に指サックを被せ鼻頭の空気漏れを防ぐ、鼻頭から顎先の距離は、顎先２又は３センチ下部を残して残りは切り捨てる、切り開いた両サイド面は頬でペットボトルを支え込む面で、鼻頭から顎先の中間点、両サイド切り口付近１センチ程に釣り糸テグスを通過する穴を内側からペットボトルを外側全体包みこむようにペットボトルを保持、両サイドに伸ばした釣り糸テグスは後頭部首の後ろで待つゴム束をくくりボトルの切り端に戻りて紙挟み止めクリップが両サイドで伸縮自在に噛みつく、
音声と空気の通気巾はボトルの下部唇と顎先付近に釣り糸テグスをボトルの下部内側に一直線に張りボトルの両サイドの穴から出たテグスはセロテープでとめる、もう一本のテグスはゴムチューブ管をとうして後頭部の後ろで待つゴム束をくぐりて紙挟み止めクリップが両サイドで噛みつく、
このゴム管をとうしたテグスの役目はタオル、ネッカチーフ、スカーフ、マフラー等のマスク役の垂れ下がりを支えます。このマスクを使用する立場になって、傷の発生を無くすのに鋭りな角やギザギザをけづり取ります、
【手続補正書】
【提出日】令和2年12月24日(2020.12.24)
【手続補正１】
【補正対象書類名】実用新案登録請求の範囲
【補正対象項目名】全文
【補正方法】変更
【補正の内容】
【実用新案登録請求の範囲】
【請求項１】
ウイルス感染予防に使用できる、プラスチックマスクです。
（形状は）、鼻と口を両手又は片手で水を飲み終えた形状、鼻から口の顎下まで手をおわん状にイメージした発想が原点であり、更に思考すれば鼻骨と口巾を三角形に覆い顎下まで口巾を覆うプラスチックマスク。
【請求項２】
（形状は）  ペットボトルのキャップを外し、ペットボトルを真っ二つに二等分にして、キャップ受け口に指サックを被せ鼻頭の空気漏れを防ぐ、ウイルス感染防止用マスク。